(57)【特許請求の範囲】
【請求項１】
試料となる生体表面に白色光を照射し、前記生体表面の複数の位置から反射する該白色光の分光スペクトルを検出し、前記分光スペクトルの吸光度を光のスペクトル多次元空間にプロットして、前記複数の位置から得られたスペクトル多次元空間のデータを多変量解析することにより、少なくとも第１、第２、第３主成分の固有ベクトルを求め、前記第２主成分、第３主成分のうち少なくとも１つの固有ベクトルの方向に前記各位置のデータを射影し、前記固有ベクトルの方向に対する前記データの成分の大きさにより前記生体表面のヘモグロビン総量、メラニンの量、タラポルフィンの量、および酸化ヘモグロビンと還元ヘモグロビン量の差の少なくとも１つを測定することを特徴とする測定方法。
【請求項２】
前記光のスペクトルの波長が、５００〜６００ｎｍおよび５００〜８５０ｎｍの範囲であることを基本として多変量解析することを特徴とする請求項１に記載の測定方法。
【請求項３】
前記光のスペクトルの波長が、５００〜６００ｎｍおよび７００〜７８０ｎｍの範囲であることを基本として多変量解析することを特徴とする請求項１に記載の測定方法。
【請求項４】
前記光のスペクトルの波長が、５００〜６００ｎｍと５００〜８５０ｎｍと７００〜７８０ｎｍの範囲であることを基本として多変量解析することを特徴とする請求項１に記載の測定方法。
【請求項５】
タラポルフィンを投与した生体表面を試料とし、前記光のスペクトルの波長が、６００〜７００ｎｍの範囲であることを基本として多変量解析することを特徴とする請求項１に記載の測定方法。
【請求項６】
前記光のスペクトルの波長が、７００ｎｍより長波長の範囲であることを基本として多変量解析することを特徴とする請求項１に記載の測定方法。
【請求項７】
前記光のスペクトルの波長が５００〜６００ｎｍおよび５００〜８５０ｎｍの範囲であることを基本として多変量解析し、少なくとも１つの位置でのデータを前記第２及び前記第３固有ベクトルの方向に射影し、その時間変化を表示することを特徴とする請求項１に記載の測定方法。
【請求項８】
試料となる生体表面に白色光を照射する手段と、前記生体表面の複数の位置から反射する該白色光の分光スペクトルを検出する手段と、前記分光スペクトルの吸光度を光のスペクトル多次元空間にプロットする手段と、前記複数の位置から得られたスペクトル多次元空間のデータを多変量解析することにより、少なくとも第１、第２、第３主成分の固有ベクトルを求める手段と、前記第２主成分、第３主成分のうち少なくとも１つの主成分の固有ベクトルの方向に前記各位置のデータを射影し、前記固有ベクトルの方向に対する前記データの成分の大きさを２次元表示画面にグレースケールでまたは該大きさに対応する色彩で表示する手段とを有し、前記固有ベクトルの方向に対する前記データの成分の大きさにより前記生体表面のヘモグロビン総量、メラニンの量、タラポルフィンの量、および酸化ヘモグロビンと還元ヘモグロビン量の差の少なくとも１つを測定することを特徴とする測定装置。
【請求項９】
前記白色光を照射する手段と、前記生体表面複数の位置から反射する該白色光を集光する手段とを、光ファイバと組み合わせて一体としたことを特徴とする請求項８に記載の測定装置。
【発明の詳細な説明】
【技術分野】
【０００１】
本発明は、生体表面に光を照射し、その反射光のスペクトル分析を行うことにより、生体表層の血流状態などを測定する方法とその測定装置に関する。
【背景技術】
【０００２】
従来、皮膚癌などの診断を行うには、皮膚の色彩を見たり、手で触ったり、生体組織を採取して病理学的に分析を行うなどの手段を講じていた。しかし、生体組織を採取して観察するのは、患者に苦痛を強いることになる。もし、それが悪性の癌であれば転移のおそれもあり、生体組織を採取することは好ましくない。
【０００３】
そこで、非侵襲な検査方法として、皮膚表面の各位置での色彩を分光して、予測される病変に特異な波長領域の光を、複数枚のフィルターをかけて検出し、その光の反射強度を２次元画像として表示していた。また、このような色彩の分光画像を測定表示する装置も開示されている。（例えば、特許文献１）従来の測定方法およびその装置は、目的に応じて、特定の色彩に特徴的な波長を選択してフィルターをかけて画像を得ていたので、病変の検出誤りが多いという問題があった。また、その測定装置も複数枚のフィルターを使用するので、複雑になるという問題があった。
【特許文献１】特開２０００−３５６５５２号公報
【発明の開示】
【発明が解決しようとする課題】
【０００４】
本発明の目的は、上記のような問題を解決し、様々な病変に対応でき、さらに、病変の検出誤りが少なくなるような、皮膚表面の観察測定データの処理方法とフィルターを不要とする簡単な構造の測定装置とを提供することである。
【課題を解決するための手段】
【０００５】
本発明による生体表面の測定方法は、請求項１に記載するように、試料となる生体表面に白色光を照射し、前記生体表面の複数の位置から反射する該白色光の分光スペクトルを検出し、前記分光スペクトルの吸光度を、光のスペクトル多次元空間にプロットして、前記複数の位置から得られたスペクトル多次元空間のデータを多変量解析することにより、少なくとも第１、第２、第３主成分の固有ベクトルを求め、前記第２、第３主成分の固有ベクトルの方向に前記各位置のデータを射影し、前記固有ベクトルの方向に対する前記データの成分の大きさにより前記生体表面のヘモグロビン総量、メラニンの量、タラポルフィンの量、および酸化ヘモグロビンと還元ヘモグロビン量の差の少なくとも１つを測定することを特徴とする。
【０００６】
上記のような測定方法によれば、試料となる生体表面の各位置から反射する全てのスペクトルを検出して、統計的データ処理を行うのでフィルターを必要とせず、また、広範囲のデータの総合的な分析により生体表面の状態を測定し表示するので、病変の検出誤りを少なくできる効果がある。
【０００７】
データ処理に用いる光の波長領域を、５００〜６００ｎｍおよび５００〜８５０ｎｍの範囲であることを基本として多変量解析するので、例えば、糖尿病性末梢血管閉塞症や皮膚移植手術後の移植皮膚着床の状況を観察するのに効果的で、病変の検出誤りを少なくできる。
【０００８】
データ処理に用いる光の波長領域を、５００〜６００ｎｍおよび７００〜７８０ｎｍの範囲であることを基本として多変量解析するので、例えば、黒子の様な表皮のメラニン量を検出できるが、黒子に隠れた癌の検出もできるという効果がある。
【０００９】
特に、メラニンに相当する固有ベクトルに対するスコア値を計算するように多変量解析することにより、検定線を使ってメラニン濃度を予測することができ、病変に至る前に処置できる効果がある。
【００１０】
さらに、データ処理に用いる光の波長領域を、５００〜６００ｎｍと５００〜８５０ｎｍと７００〜７８０ｎｍの範囲であることを基本として多変量解析するので、例えば、表在性癌細胞の検出に効果がある。
【００１１】
また、癌の治療のため光感受性物質を投与した生体表面を試料とし、データ処理に用いる光の波長領域を、５００〜６００ｎｍと５００〜８５０ｎｍと７００〜７８０ｎｍの範囲であることを基本とし、さらに該光感受性物質の特有な波長域も含むような波長範囲で多変量解析するので、この波長領域に吸収体を持つ光感受性物質による癌の存在部位及び治療効果を観察できるという効果がある。
【００１２】
データ処理に用いる光の波長領域を、７００ｎｍより長波長の範囲であることを基本として多変量解析する。この光は目に安全なので、例えば、眼底網膜上の血流量や酸化ヘモグロビンと還元ヘモグロビンの相対量を観測できるという効果がある。
【００１３】
また、データ処理に用いる光の波長領域を、５００〜６００ｎｍおよび７００〜７８０ｎｍの範囲であることを基本として多変量解析し、皮下の末梢血管からのスペクトル情報の時間変化を測定するので、高脂血症や耐糖機能異常などの病変を検出することができるという効果がある。
【００１４】
また、このようなデータを測定する測定装置は、上記の測定方法を実施できる装置であり、従来の装置に必要なフィルターを必要とせず、簡単な構造になっている。
【００１５】
さらに、このようなデータを測定する測定装置では、光ファイバとの組み合わせにより、白色光照射部ならびに反射光集光部を一体とした部分と、分光分析部を分離することが可能となる。このような形態の装置は、口腔、開頭ならびに開腹手術時などの検査に応用できる装置、従来技術である消化器系内視鏡、呼吸器系内視鏡、血管カテーテルとの組み合わせにより、消化器、呼吸器、血管内壁表面の検査が容易にできる測定装置を提供できる。
【発明の効果】
【００１６】
本発明によれば、様々な病変に対応でき、さらに、病変の検出誤りが少ない測定方法であり、さらに測定装置もフィルターを必要とせず、構造が簡単になるという効果がある。
【発明を実施するための最良の形態】
【００１７】
以下、本発明の好ましい実施形態について説明する。まず、本発明による測定装置について図１と図２を参照して説明する。図１において、１は試料Ｓを置くステージ、２は白色光源である。ステージの上方にはスリット３を備えた分光器４が設けられている。分光器４は、透過型グレーティングを搭載したイメージング分光器である。試料の１ラインから反射した光はスリット３を通り、分光器で分光されてＣＣＤカメラ５の受光面に結像する。すなわち、ＣＣＤカメラ５の受光面のＸ軸は試料の１ライン上の位置に対応し、Ｙ軸方向は分光された光のスペクトルとなる。
【００１８】
図２に分光器４の詳細構造を示す。スリット３はスリット本体３ａと集光するためのレンズ３ｂとで構成されている。さらに２枚のレンズ４ａ、４ｃとの間にある透過型グレーティング方式のプリズム４ｂとにより構成されている。カメラ５には光電子増倍管５ａが搭載され、微弱な光にも感じるように感度を高めている。
【００１９】
この測定装置の光学的部分の構成はこのようになっているので、ＣＣＤカメラの１フレームで、試料Ｓの１ラインの分光スペクトルデータを取得できる。このデータはデータ処理装置６に入力される。続いて、ステージを微小な長さ動かして次の１ライン分光スペクトルデータをＣＣＤカメラの次のフレームに取得し、データ処理装置に送る。この動作を繰り返すことにより、２次元の面の分光スペクトルデータを取得できる。実際には、上記Ｘ軸に対応する試料表面の1ラインに垂直な方向に掃引させる機構、例えば、調節手段７でステージをほぼ連続的に移動させながら、その動作に同期してＣＣＤカメラ５でデータを取得するようになっている。
【００２０】
また、光ファイバとの組み合わせにより、白色光照射部ならびに反射光集光部を一体とした部分と、分光分析部を分離することにより、皮膚表面ばかりでなく、光ファイバを通して見ることが出来る内蔵の状態を測定することが可能である。このような形態の装置は、口腔、開頭ならびに開腹手術時などの検査に応用できる装置、従来技術である消化器系内視鏡、呼吸器系内視鏡、血管カテーテルとの組み合わせにより、消化器、呼吸器、血管内壁表面の検査が容易にできる。次に、上記のようにして取得されたデータの処理方法について詳細に説明する。スリット３ａと対物レンズ３ｂの倍率により、検出する試料の微小領域の大きさが決まるが、その隣り合わせる４つの微小領域内スペクトルデータの平均値をとることにより、スペクトルデータのＳ/Ｎ比を良くしている。
【００２１】
このようにして、各位置で得られたスペクトルデータをスペクトル多次元空間にプロットする。例えば、取得したデータの波長が５００ｎｍから６００ｎｍとすると、これを最小分解能の５ｎｍで分割して、それぞれの波長での吸光度（任意単位）を求め、分割した２０次元の空間に、１つの位置あたり１点としてプロットする。
【００２２】
例えば、試料の大きさが１ｍｍ平方で、検出する微小領域が０．０１ｍｍ平方とすれば、１０、０００個の微小領域からのスペクトルデータが得られる。例えば、S/N比の向上を目的として、４つの微小領域のデータを平均して１つのデータとすると、最終的に得られるデータは２，５００個である。この２，５００個のスペクトルデータを上記の２０次元のスペクトル空間にプロットする。
【００２３】
次に、例えば主成分分析法などの多変量解析の手法を用いて、２０次元のスペクトル空間の中で、第１の主成分として、２，５００個の点の分散が最大になる方向を求め、その方向を第１主成分の固有ベクトルとする。さらに、第１の固有ベクトルに直交する空間に各プロット点を射影して、第２の主成分を求め、第２主成分の固有ベクトルとする。さらに、上記と同様な手順で第３,・・ｎの主成分と第３,・・n主成分の固有ベクトルを求める。
【００２４】
このようにして、第１主成分の固有ベクトル、第２主成分の固有ベクトル、第３主成分の固有ベクトルが決まり、その各固有ベクトルに前記のプロットした２，５００個のデータを射影する。すなわち、各固有ベクトル方向の成分を求める。この成分の大きさをスコアと呼ぶが、固有ベクトル方向毎のスコアを試料の各位置に、グレースケールまたはスコアの値に応じた色彩でプロットして２次元表示を行う。
【００２５】
図３に、人の血液の分光吸収特性を示す。横軸は光の波長で、縦軸は吸光度（任意単位）を示している。２本のグラフのうち、Ａは酸化ヘモグロビンの吸収スペクトルをＢは還元ヘモグロビンの吸収スペクトルを示している。この２つの吸収スペクトルの差の特徴は、５００ｎｍから６００ｎｍの間でのピークの形状で、酸化ヘモグロビンの吸収スペクトルには２つのピークがあり、還元ヘモグロビンの吸収スペクトルは１つのピークを示すことである。また、７００ｎｍから８００ｎｍの間にも差が認められ、酸化ヘモグロビンの吸収スペクトルは平坦であるが、還元ヘモグロビンの吸収スペクトルは１つのピークを示すことである。
【００２６】
第１の実施例として、図４に、５００ｎｍから６００ｎｍの波長域を使って、正常な皮膚を試料として測定したときの波長に対する各固有ベクトル成分の値を示す。第１主成分に対応する固有ベクトルは２，５００個のスペクトル全体の平均値を示し、第２主成分に対する各固有ベクトル成分の値はヘモグロビンの総量に対応するスペクトルを示し、第３主成分は酸化ヘモグロビンスペクトルと還元ヘモグロビンスペクトルの差スペクトルを示している。
【００２７】
さらに、各位置のスコア値を試料の測定位置に対応させて、第２主成分スコアと第３主成分スコアをそれぞれ２次元表示したものを図５（ａ）、図５（ｂ）に示す。図５に示すように、毛細血管がある部分の血液総量と酸化ヘモグロビンと還元ヘモグロビンの相対量が検出されている。
【００２８】
５００ｎｍ〜８５０ｎｍの広いスペクトル領域で観測すると、図６（ａ）、図６（ｂ）に示すようになっている。図６（ａ）は第２主成分、図６（ｂ）は第３主成分のスコアを表示したものである。図５と同様に、毛細血管がある部分が検出されている。
【００２９】
例えば、もし糖尿病性末梢血管閉塞症のような末端の毛細血管への血液の循環が悪いような場合には、第２主成分に対応する固有ベクトルの形状が酸化ヘモグロビンと還元ヘモグロビンの差スペクトルを表すようになり、血流が停滞した部分に還元ヘモグロビンが多い状況が見られることになる。（図示しない）また、皮膚移植手術後に、皮膚が着床しておれば、毛細血管に血が流れているので、ヘモグロビンの存在を検出して、皮膚の着床状況を知ることができる。
【００３０】
第２の実施例として、黒子がある部分を含んで測定した結果を、波長域が５００ｎｍ〜６００ｎｍの場合を図７に、波長域が７００ｎｍ〜７８０ｎｍの場合を図８に示す。
【００３１】
図７は、波長域が５００ｎｍ〜６００ｎｍの場合の第２主成分のスコア値を２次元表示したものである。黒子の周囲は多くのヘモグロビンが検出されるが、黒子の部分は光の吸収が強く低い値になっている。図８は、波長域が７００ｎｍ〜７８０ｎｍの場合の第３主成分のスコア値を２次元表示したものである。この成分は還元ヘモグロビンの寄与が大きい。図８では、黒子の周囲に還元ヘモグロビンが多く存在することが検出されている。
【００３２】
例えば、悪性黒色腫瘍があると、腫瘍の周囲に新生血管が増殖集中する病態があるので、腫瘍周辺のヘモグロビンが増加するので、波長域が５００ｎｍ〜６００ｎｍの場合の第２主成分の画像が黒子の場合とは明らかに異なってくる。また、新生血管には酸化ヘモグロビンが多く存在するので、波長域が７００ｎｍ〜７８０ｎｍの場合の第２、３主成分のスコア値も画像も黒子の場合とは明らかに異なってくる。（図示しない）メラニン色素は皮膚の表皮層に沈着し、皮膚の色合いを決定する主要な成分の一つである。これが多く沈着することでシミや黒子を生成する。黒子がある部分はメラニン色素が多く、短波長の光は吸収され易いので、血管がある真皮まで光が届かない。また、メラニン特有の吸収特性も見られる。
【００３３】
分光法を用いたメラニン色素濃度に関する研究は1980年代から多く行われているが、色座標パラメータあるいはメラニン指標での議論に留まっており、濃度としての定量化には未だ至っていない。
【００３４】
メラニン色素の濃度を測定するために、まず、皮膚からの可視域吸収スペクトルを、本発明による多変量解析の手法を用いて解析し、メラニンに相当する固有ベクトルを求めて、メラニンとコラーゲンによって作成した皮膚モデルを使って、図９に示すような検定線を描いた。この検定線を使うと、各部位のスコア値から、各部位のメラニン濃度を予測することができる。
【００３５】
第３の実施例として、癌細胞がある皮膚の試料での、波長域が５００ｎｍ〜６００ｎｍの場合の第２主成分のスコア値を図１０（ａ）に、第３主成分のスコア値を図１０（ｂ）に、波長域が５００ｎｍ〜８００ｎｍの場合の第２主成分のスコア値を図１１に、また、波長域が７００ｎｍ〜７８０ｎｍの場合の第３主成分のスコア値を図１２に示す。
【００３６】
癌細胞の周辺には新生血管の増殖があり、ヘモグロビンが増加するので、癌細胞の周辺の第２主成分のスコア値が大きくなる。図１０（ａ）と図１１にその様子が観測できる。また、癌細胞の周辺には新生血管の増殖があるので、酸化ヘモグロビンが多く存在し、還元ヘモグロビンの量が相対的に減少する。したがって、図１０（ｂ）に示すように、癌細胞の周辺で酸化ヘモグロビンが多く存在し、第３主成分のスコア値が高くなっている。また、図１２に示すように、波長域が７００ｎｍ〜７８０ｎｍの場合の第３主成分のスコア値は癌細胞の周辺で減少していることが観測される。
【００３７】
第４の実施例として、光感受性物質であるタラポルフィン（Talaporfin）による癌の治療効果を検証する例を示す。光感受性物質であるタラポルフィン（Talaporfin）を投与すると、この物質は癌細胞の周辺のマクロファージ内に集積することが知られているが、その後にタラポルフィンが特異的に吸収（固有吸収帯）する波長の光を照射するとタラポルフィンが分解するときに、活性酸素を発生し、癌細胞を殺すとともに、新生血管を詰まらせるために、癌の治療に有効であることが知られている。これを光線力学療法（ＰＤＴ）と呼んでいる。
【００３８】
第３の実施例で示した癌細胞をもつ試料に上記のような処置を行ったときの、波長域が５００ｎｍ〜８００ｎｍの場合の第２主成分のスコア値を図１３に、波長域が５００ｎｍ〜６００ｎｍの場合の第３主成分のスコア値を図１４に示す。
【００３９】
図１３と図１４から癌細胞の周辺には、ヘモグロビンはあるが、還元ヘモグロビンが多いのが観測される。すなわち、酸化ヘモグロビンを多く含む新生血管の流れが抑えられたことを示している。
【００４０】
一方、タラポルフィンの組織に結合した状態での固有吸収帯は６６０ｎｍ〜６７０ｎｍ（中心の波長は６６４ｎｍ）にあるので、この波長を含む波長域で分析した結果を図１５に示す。図１５は、６００ｎｍ〜７００ｎｍでの第３主成分のスコア値を示した図である。図１５から以下のことが観測できる。すなわち、タラポルフィンは癌細胞の部分では消滅しているが、その周囲に少し残っていることが観測される。
【００４１】
これにより、癌の治療効果が確認できるとともに、残留したタラポルフィンは正常な細胞も破壊するので、癌の周囲に残ったタラポルフィンも消滅するような処置が完全にできたかどうかを確認できる。
【００４２】
図１６に、タラポルフィンを投与し、ＰＤＴを行った後までの状況を、時間を追って示す。
【００４３】
タラポルフィンは６６４nmに特徴的な吸収バンドをもつので、波長域が６００ｎｍ〜７００ｎｍで主成分分析を行うと、第２主成分にこの特徴的な吸収バンドの特徴が現れる。全ての観測場所でのスぺクトルを第２主成分の方向へ射影するとその値はタラポルフィン濃度の指標となる。図１６は、タラポルフィン量の経時変化をその指標の大きさで示している。カラースケールで暖（寒）色系になればなるほどタラポルフィンの量が増加（減少）していることを示している。静脈注射による投与直後から癌細胞周辺にタラポルフィンがその癌親和性により、時間の経過にしたがって集積していることがわかる。ＰＤＴを施す（図１６（ｆ）で、破線で囲った癌の部分）と、タラポルフィンのテトラピロール環が解裂して、６６４nmの吸収ピークが消滅することがわかっているが、図１６(f)には、まさにこの事実を反映している。
【００４４】
波長域が５００ｎｍ〜６００ｎｍで主成分分析を行ったとき、第３主成分は、酸化ヘモグロビンスペクトルと還元ヘモグロビンスペクトルの差スペクトルと解釈できる。従って第３主成分のスコア値が大きい（小さい）ほど、酸化（還元）ヘモグロビン量が相対的に増加していることを意味する。図１７は、第３主成分スコア値の経時変化を表している。暖（寒）色系になればなるほど相対的に酸化（還元）ヘモグロビン量が増加していることを示している。がん細胞周辺は、周囲に比較して酸化ヘモグロビン量が多いことが解る。これは、がん細胞周辺に新生血管増殖が起きている病態と一致している。ＰＤＴ（図１７（ｆ）で破線で囲ったがんの部分）後には、それらの血管が詰まるのでがん細胞周辺では相対的に還元ヘモグロビン量が増加すると考えられ、図１７(f)はまさにこのことを示している。
【００４５】
第５の実施例として、眼底の網膜上の血流診断において、ヘモグロビンの量や酸化ヘモグロビンの量を測定する例を示す。従来、眼底の網膜上の血流診断では、強い可視光を眼底に照射して写真撮影しその映像から判断する方法がとられているが、被験者には苦痛を強いている。また、表面写真だけでは、誤診することも多い。
【００４６】
本発明による方法では、眼底の血流に応じた２次元的な表示が得られるので、異常がある位置やその程度が観測できる。使用する光としては、可視光は眼に感じて眼を開けていられないので、眼に安全な７００ｎｍ以上の近赤外線領域の光を使うことが特徴である。画像化の方法は、前記の実施例と同じく、第２主成分と第３主成分スコアを用いる。
【００４７】
第６の実施例として、第２成分スコア値の時間変化を分析し、高脂血症、耐機能異常、肥満、インスリン抵抗性などからなるマルチプルリスクファクター症候群における臓器微小循環障害を引き起こす血液流動性障害を検出する例を示す。
【００４８】
測定の方法は、被験者の上腕などの体の一部を駆血帯で緊迫して血流を一時止めてから、駆血帯を開放してからのヘモグロビンの総量を表すスペクトルあるいは酸化ヘモグロビンスペクトルと還元ヘモグロビンスペクトルの差スペクトルを表す固有ベクトルを持つ主成分スコア値の時間変化を測定する方法である。例えば、５００〜６００ｎｍの波長領域では。第２主成分スコア値は酸化ヘモグロビンと還元ヘモグロビンの相対量を表しているので、緊迫して血流を一時止めると、スコア値が負の値となっているが、駆血帯を開放すると血液が流れ出してヘモグロビンの総量および酸化ヘモグロビンの相対量が増加してゆく。ここで、血液流動性障害がなければ、速やかに血流量が回復するが、障害があれば時間がかかるので、障害の有無が検出できる。
【００４９】
図１８に、５名の被験者で、波長域が５００ｎｍ〜６００ｎｍでの第２主成分スコア値の時間変化を示す。このグラフは第２主成分スコア値の変化が、０と１の間になるように規格化したものである。このグラフから規格化された第２主成分スコア値が５０％、７０％、９０％に立ち上がるまでに要した時間を図１９示す。被験者ＡはタイプIIの糖尿病患者(空腹時血糖値２００ｍｇ/ｄｌ)で、他は正常者（空腹時血糖値９５ｍｇ/ｄｌ）である。この図から、被験者Ａの９０％立ち上がり値が他のものより大きくなっている。
【００５０】
波長域が５００ｎｍ〜８５０ｎｍでの第２主成分スコア値の時間変化から、上記の方法と同じ方法で求めた値を図２０に示す。これから見ても、被験者Ａの９０％立ち上がり値が他のものより大きくなっている。このように、第２主成分スコア値の時間変化を観測することにより、血液流動性障害を容易に見つけることができる。
【００５１】
また、皮膚移植手術後に、皮膚が着床し始めれば、毛細血管に酸化ヘモグロビンが流れはじめるので、上記の方法と同じ方法で、第２主成分スコア値の時間変化を観測することにより、皮膚の着床状況の時間変化を知ることができる。
【００５２】
本発明は、前記の実施例に限定されるべきものではなく、実質的に同等の思想により当業者が置き換えや変更により、同等の効果が得られるものも、本発明の範囲に属するものとする。
【図面の簡単な説明】
【００５３】
【図１】本発明による測定装置の概略図である。
【図２】本発明による測定装置に搭載された分光器の構成図である。
【図３】人の血液の分光吸収特性を示す図である。
【図４】正常な皮膚からのスペクトルから計算された各主成分に対応する固有ベクトルを示す図である。
【図５】第１の実施例において、図１の装置により測定された５００ｎｍ〜６００ｎｍでの正常な皮膚からのスコア値の画像を２次元表示した図である。
【図６】第１の実施例において、図１の装置により測定された５００ｎｍ〜８５０ｎｍでの正常な皮膚からのスコア値の画像を２次元表示した図である。
【図７】第２の実施例において、図１の装置により測定された５００ｎｍ〜６００ｎｍでの黒子がある部分を含んだ皮膚からの第２主成分スコア値の画像を２次元表示した図である。
【図８】第２の実施例において、図１の装置により測定された７００ｎｍ〜７８０ｎｍでの黒子がある部分を含んだ皮膚からの第３主成分スコア値の画像を２次元表示した図である。
【図９】メラニン濃度と、メラニンに固有のベクトル方向でのスコア値との関係を示す図である。
【図１０】第３の実施例において、図１の装置により測定された５００ｎｍ〜６００ｎｍでの癌細胞がある皮膚からのスコア値の画像を２次元表示した図である。
【図１１】第３の実施例において、図１の装置により測定された５００ｎｍ〜８００ｎｍでの癌細胞がある皮膚からの第２主成分のスコア値の画像を２次元表示した図である。
【図１２】第３の実施例において、図１の装置により測定された７００ｎｍ〜７８０ｎｍでの癌細胞がある皮膚からの第３主成分のスコア値の画像を２次元表示した図である。
【図１３】第４の実施例において、図１の装置により測定された５００ｎｍ〜８００ｎｍでの癌細胞がある皮膚にＰＤＴ処理した後での第２主成分のスコア値の画像を２次元表示した図である。
【図１４】第４の実施例において、図１の装置により測定された５００ｎｍ〜６００ｎｍでの癌細胞がある皮膚にＰＤＴ処理した後での第３主成分のスコア値の画像を２次元表示した図である。
【図１５】第４の実施例において、図１の装置により測定された６００ｎｍ〜７００ｎｍでの第３主成分のスコア値の画像を２次元表示した図である。
【図１６】タラポルフィン投与からＰＤＴを行った後までのタラポルフィンの量の時間変化を示す図である。
【図１７】タラポルフィン投与からＰＤＴを行った後までの、５００ｎｍ〜６００ｎｍでの第３主成分スコア値の時間変化を示す図である。
【図１８】第６の実施例において、図１の装置により測定された５００ｎｍ〜６００ｎｍでの第２主成分スコア値の時間変化を示す図である。
【図１９】第６の実施例において、図１の装置により測定された５００ｎｍ〜６００ｎｍでの第２主成分スコア値が５０％、７０％、９０％立ち上がるまでに要した時間を示す図である。
【図２０】第６の実施例において、図１の装置により測定された５００ｎｍ〜８５０ｎｍでの第２主成分スコア値が５０％、７０％、９０％立ち上がるまでに要した時間を示す図である。
【符号の説明】
【００５４】
１ ステージ
２ 白色光源
３ スリット
４ 分光器
５ ＣＣＤカメラ
６ データ処理装置
７ 調節手段
【図１】
0004721144.tif 000002
【図２】
0004721144.tif 000003
【図３】
0004721144.tif 000004
【図４】
0004721144.tif 000005
【図１８】
0004721144.tif 000006
【図１９】
0004721144.tif 000007
【図２０】
0004721144.tif 000008
【図５】
0004721144.tif 000009
【図６】
0004721144.tif 000010
【図７】
0004721144.tif 000011
【図８】
0004721144.tif 000012
【図９】
0004721144.tif 000013
【図１０】
0004721144.tif 000014
【図１１】
0004721144.tif 000015
【図１２】
0004721144.tif 000016
【図１３】
0004721144.tif 000017
【図１４】
0004721144.tif 000018
【図１５】
0004721144.tif 000019
【図１６】
0004721144.tif 000020
【図１７】
0004721144.tif 000021